(57)【要約】【課題】簡易かつ安価な構成で、極数が異なるモジュラージャックに装着されても当該モジュラージャックのコンタクトピンを塑性変形させないようにすることができるモジュラープラグを提供する。【解決手段】筐体２と、筐体２に設けられたスリット２２と、を備える第１極数のモジュラープラグ（６極のモジュラープラグ１）において、筐体２における、極数が第１極数よりも大きい第２極数のモジュラージャック（８極のモジュラージャック）に６極のモジュラープラグ１を挿入した際、８極のモジュラージャックが備える複数のコンタクトピンのうちのスリット２２に収容されないコンタクトピンに対応する位置に、追加スリット２３を設けるようにした。【選択図】図１
2009117295.tif 000002
【特許請求の範囲】
【請求項１】
筐体と、前記筐体に設けられたスリットと、を備えるモジュラープラグにおいて、
当該モジュラープラグの極数は、第１極数であり、
前記筐体には、極数が前記第１極数よりも大きい第２極数のモジュラージャックに前記モジュラープラグを挿入した際、当該第２極数のモジュラージャックが備える複数のコンタクトピンのうちの前記スリットに収容されないコンタクトピンに対応する位置に、追加スリットが設けられていることを特徴とするモジュラープラグ。
【請求項２】
筐体と、前記筐体に設けられたスリットと、を備えるモジュラープラグにおいて、
当該モジュラープラグの極数は、６極であり、
前記スリットの個数は、６つであり、
前記筐体には、８極のモジュラージャックに前記モジュラープラグを挿入した際、当該８極のモジュラージャックが備える８つのコンタクトピンのうちの両端にある２つのコンタクトピンに対応する位置に、追加スリットが設けられていることを特徴とするモジュラープラグ。
【発明の詳細な説明】
【技術分野】
【０００１】
本発明は、モジュラープラグに関する。
【背景技術】
【０００２】
近年、デジタル放送受信機やＤＶＤレコーダ、パソコンなどの電子機器において、電話回線などで使用されるＲＪ−１１タイプのモジュラージャックと、インターネット接続などを行う場合に使用されるＲＪ−４５タイプのモジュラージャックと、の両方を備える電子機器が増えてきている。
【０００３】
これらのモジュラージャックは形状が良く似ており、ユーザは双方を区別できないことがある。そのため、ＲＪ−４５タイプのモジュラージャックにＲＪ−１１タイプのモジュラープラグが誤挿入されてしまうことがある。なお、ＲＪ−１１は、ＲＪ−４５よりもサイズが小さいため、ＲＪ−１１タイプのモジュラージャックにＲＪ−４５タイプのモジュラープラグが誤挿入されることはない。
【０００４】
ＲＪ−４５の極数は８極であり、ＲＪ−１１の極性は６極である。
したがって、ＲＪ−４５タイプのモジュラージャック（８極のモジュラージャック）にＲＪ−４５タイプのモジュラープラグ（８極のモジュラープラグ）が挿入されると、８極のモジュラージャックの８つのコンタクトピンは、８極のモジュラープラグの８つのスリット内に収容され、コンタクトピンの付勢力でスリット内に配置された端子と接触するようになっている。そして、その後、８極のモジュラージャックから８極のモジュラープラグを抜出すると、８極のモジュラージャックの８つのコンタクトピンは、コンタクトピンの付勢力で元の状態に戻るようになっている。
その一方で、ＲＪ−４５タイプのモジュラージャック（８極のモジュラージャックＪ８）にＲＪ−１１タイプのモジュラープラグ（６極のモジュラープラグ１００）が誤挿入されると、例えば、図５に示すように、８極のモジュラージャックＪ８の８つのコンタクトピンＪ８１のうちの両端の２つのコンタクトピンＪ８１（図５（ｂ）において破線で示すコンタクトピンＪ８１）が、６極のモジュラープラグ１００のスリット２２００内に収容されず、６極のモジュラープラグ１００の筐体２００に押圧されてしまって、塑性変形してしまうことがある。そのため、８極のモジュラージャックＪ８から６極のモジュラープラグ１００を抜出しても、８極のモジュラージャックＪ８の８つのコンタクトピンＪ８１のうちの両端の２つのコンタクトピンＪ８１が元の状態に戻らず、その後、その８極のモジュラージャックＪ１に８極のモジュラープラグを挿入しても、接触不良を発生してしまう場合がある。
【０００５】
そこで、例えば、モジュラージャックに可動端子駆動手段を備えてコンタクトピンを退避位置と接続位置との間で移動可能に構成することによって、極数が異なるモジュラープラグが装着されても、コンタクトピンが塑性変形しないようにする技術が提案された（例えば、特許文献１参照）。
また、例えば、モジュラージャックに誤挿着防止機構、誤挿着防止キー、誤挿入防止部材などを備えることによって、極数が異なるモジュラープラグが装着されても、コンタクトピンが塑性変形しないようにする技術も提案されている（例えば、特許文献２、３及び４参照）。
また、モジュラージャックにコンタクトピンを保持する移動可能な保持部を備えることによって、極数が異なるモジュラープラグが装着されても、コンタクトピンが塑性変形しないようにする技術も提案されている（例えば、特許文献５参照）。
【特許文献１】特開２００７−１９３９５９号公報
【特許文献２】特開２００６−１３４８６４号公報
【特許文献３】特開２００４−２２７８９２号公報
【特許文献４】特開２００６−２２８４４９号公報
【特許文献５】特開２０００−１９５６０３号公報
【発明の開示】
【発明が解決しようとする課題】
【０００６】
しかしながら、特許文献１〜５記載の技術では、既存のモジュラージャックに、可動端子駆動手段、誤挿着防止機構、誤挿着防止キー、誤挿入防止部材、保持部といった追加部材が付加されているため、構成が複雑である点と、コストがかかる点の二つの問題がある。
【０００７】
本発明の課題は、簡易かつ安価な構成で、極数が異なるモジュラージャックに装着されても当該モジュラージャックのコンタクトピンを塑性変形させないようにすることができるモジュラープラグを提供することにある。
【課題を解決するための手段】
【０００８】
上記課題を解決するために、請求項１に記載の発明は、
筐体と、前記筐体に設けられたスリットと、を備えるモジュラープラグにおいて、
当該モジュラープラグの極数は、第１極数であり、
前記筐体には、極数が前記第１極数よりも大きい第２極数のモジュラージャックに前記モジュラープラグを挿入した際、当該第２極数のモジュラージャックが備える複数のコンタクトピンのうちの前記スリットに収容されないコンタクトピンに対応する位置に、追加スリットが設けられていることを特徴とする。
【０００９】
請求項２に記載の発明は、
筐体と、前記筐体に設けられたスリットと、を備えるモジュラープラグにおいて、
当該モジュラープラグの極数は、６極であり、
前記スリットの個数は、６つであり、
前記筐体には、８極のモジュラージャックに前記モジュラープラグを挿入した際、当該８極のモジュラージャックが備える８つのコンタクトピンのうちの両端にある２つのコンタクトピンに対応する位置に、追加スリットが設けられていることを特徴とする。
【発明の効果】
【００１０】
本発明によれば、筐体と、筐体に設けられたスリットと、を備えるモジュラープラグにおいて、当該モジュラープラグの極数は、第１極数（例えば、６極）であり、筐体には、極数が第１極数よりも大きい第２極数のモジュラージャック（例えば、８極のモジュラージャック）にモジュラープラグを挿入した際、当該第２極性のモジュラージャックが備える複数のコンタクトピンのうちのスリットに収容されないコンタクトピン（例えば、８つのコンタクトピンのうちの両端にある２つのコンタクトピン）に対応する位置に、追加スリットが設けられている。
すなわち、第１極数のモジュラープラグを第２極数のモジュラージャックに挿入した際に、第１極数のモジュラープラグの筐体に押圧されて塑性変形してしまう位置に配置されたコンタクトピンは、追加スリットに収容されることになる。したがって、追加スリットを設けるだけの簡易かつ安価な構成で、極数が異なるモジュラージャックに装着されても当該モジュラージャックのコンタクトピンを塑性変形させないようにすることができる。
【発明を実施するための最良の形態】
【００１１】
以下、図を参照して、本発明にかかるモジュラープラグの最良の形態を詳細に説明する。なお、本発明の範囲は、図示例に限定されない。
本実施の形態では、モジュラープラグ（第１極数のモジュラープラグ）として６極のモジュラープラグを例示し、第２極数のモジュラージャックとして８極のモジュラージャックを例示して、説明することとする。
【００１２】
図１に、本発明の６極のモジュラープラグ１の正面斜視図を示す。
なお、以下の説明では、６極のモジュラープラグ１において、モジュラージャックに挿入される側を前側（正面側）とし、前側に対向する、ケーブルＣが設けられた側を後側とするとともに、モジュラージャックに挿入された際に上になる側を上側、下になる側を下側とする。そして、前後方向及び上下方向に垂直な方向を左右方向とする。
【００１３】
６極のモジュラープラグ１は、例えば、６極２芯のＲＪ−１１タイプのモジュラープラグである。６極のモジュラープラグ１は、例えば、６極２芯（「６極４芯」であっても良い）のＲＪ−１１タイプのモジュラージャックＪ６にも、８極８芯のＲＪ−４５タイプのモジュラージャックＪ８にも、挿入及び抜出可能に構成されている。
【００１４】
具体的には、６極のモジュラープラグ１は、例えば、図１に示すように、筐体２と、筐体２に設けられたタブ２１、６つのスリット２２、２つの追加スリット２３及び２つの端子２４と、などを備えて構成される。
【００１５】
筐体２は、例えば、従来の６極のモジュラープラグの筐体と略同等の形状及びサイズとなるよう形成されている。筐体２の後面にはケーブルＣが備えられている。
【００１６】
タブ２１は、例えば、６極のモジュラープラグ１がモジュラージャック（６極のモジュラージャックＪ６や８極のモジュラージャックＪ８）に挿入された状態を維持するためのものである。すなわち、タブ２１は、６極のモジュラープラグ１がモジュラージャックに挿入されると、タブ２１の付勢力（上方向への力）によって、６極のモジュラープラグ１がモジュラージャックに挿入された状態を維持（ロック）する。そして、タブ２１は、６極のモジュラープラグ１がモジュラージャックに挿入された状態において、上側から押圧されると、当該ロックを解除するため、６極のモジュラープラグ１をモジュラージャックから抜出することできることとなる。
【００１７】
６つのスリット２２は、例えば、従来の６極のモジュラープラグが備える６つのスリットと同一の位置に、当該６つのスリットと同一の形状及びサイズとなるよう形成されている。したがって、６つのスリット２２は、例えば、８極のモジュラープラグが備える８つのスリットのうちの両端を除く６つのスリットと同一の位置に、当該６つのスリットと同一の形状及びサイズとなるよう形成されている。
【００１８】
２つの追加スリット２３は、例えば、８極のモジュラープラグが備える８つのスリットのうちの両端の２つのスリットと同一の位置に、当該２つのスリットと同一の形状及びサイズとなるよう形成されている。すなわち、２つの追加スリット２３は、例えば、６つのスリット２２のうちの左端のスリットの左側と、６つのスリット２２のうちの右端のスリットの右側と、に形成されている。
【００１９】
２つの端子２４は、例えば、従来の６極のモジュラープラグが備える２つの端子と同一の位置に、当該２つの端子と同一の形状及びサイズとなるよう形成されている。すなわち、２つの端子２４は、例えば、６つのスリットのうちの中央の２つのスリット２２内に設けられている。
【００２０】
図２に、６極のモジュラージャックＪ６の正面斜視図（ａ）と、８極のモジュラージャックＪ８の正面斜視図（ｂ）と、を示す。
また、図３に、６極のモジュラージャックＪ６の正面図（ａ）と、６極のモジュラージャックＪ６に挿入された６極のモジュラープラグ１の正面断面図（ｂ）と、を示す。図４に、８極のモジュラージャックＪ８の正面図（ａ）と、８極のモジュラージャックＪ８に挿入された６極のモジュラープラグ１の正面断面図（ｂ）と、を示す。
【００２１】
例えば、図３に示すように、６極のモジュラープラグ１は、筐体２が、従来の６極のモジュラープラグの筐体と同一の形状及びサイズとなるよう形成されており、６つのスリット２２が、従来の６極のモジュラープラグが備える６つのスリットと同一の位置に、当該６つのスリットと同一の形状及びサイズとなるよう形成されているため、６極のモジュラージャックＪ６に挿入することができる。
６極のモジュラープラグ１が６極のモジュラージャックＪ６に挿入された際、６極のモジュラージャックＪ６の２つのコンタクトピンＪ６１は、６つのスリット２２のうちの中央の２つのスリット２２に収容されて、２つの端子２４と接触する。
【００２２】
さらに、例えば、図４に示すように、６極のモジュラープラグ１は、筐体２が、従来の６極のモジュラープラグの筐体と同一の形状及びサイズとなるよう形成されており、６つのスリット２２が、８極のモジュラープラグが備える８つのスリットのうちの両端を除く６つのスリットと同一の位置に、当該６つのスリットと同一の形状及びサイズとなるよう形成されているとともに、２つの追加スリットが、例えば、８極のモジュラープラグが備える８つのスリットのうちの両端の２つのスリットと同一の位置に、当該２つのスリットと同一の形状及びサイズとなるよう形成されているため、８極のモジュラージャックＪ８に挿入することができる。
６極のモジュラープラグ１が８極のモジュラージャックＪ８に挿入された際、８極のモジュラージャックＪ８の８つのコンタクトピンＪ８１のうちの両端を除く６つのコンタクトピンＪ８１は、６つのスリット２２に収容され、８極のモジュラージャックＪ８の８つのコンタクトピン８１のうちの両端の２つのコンタクトピンＪ８１は、２つの追加スリット２３に収容される。
【００２３】
以上説明した本発明の６極のモジュラープラグ１によれば、筐体２と、筐体２に設けられた６つのスリット２２と、を備え、筐体２には、８極のモジュラージャックＪ８に６極のモジュラープラグ１を挿入した際、８極のモジュラージャックＪ８が備える８つのコンタクトピンＪ８１のうちの両端にある２つのコンタクトピンＪ８１に対応する位置に、追加スリット２３が設けられている。
すなわち、従来の６極のモジュラープラグを８極のモジュラージャックＪ８に挿入した際に、その従来の６極のモジュラープラグの筐体に押圧されて塑性変形してしまう位置に配置されたコンタクトピン（８つのコンタクトピンＪ８１のうちの両端にある２つのコンタクトピンＪ８１）は、２つの追加スリット２３に収容されることになる。したがって、追加スリット２３を設けるだけの簡易かつ安価な構成で、極数が異なるモジュラージャックに装着されても当該モジュラージャックのコンタクトピンを塑性変形させないようにすることができる。
【００２４】
なお、本発明は、上記した実施の形態のものに限るものではなく、その要旨を逸脱しない範囲で適宜変更可能である。
【００２５】
第１極数を６極とし、第２極数を８極としたが、第２極数が第１極数よりも大きいのであれば、第１極数及び第２極数は任意である。
【図面の簡単な説明】
【００２６】
【図１】本発明の６極のモジュラープラグの正面斜視図を示す。
【図２】６極のモジュラージャックの正面斜視図（ａ）と、８極のモジュラージャックの正面斜視図（ｂ）と、を示す。
【図３】６極のモジュラージャックの正面図（ａ）と、６極のモジュラージャックに挿入された本発明の６極のモジュラープラグの正面断面図（ｂ）と、を示す。
【図４】８極のモジュラージャックの正面図（ａ）と、８極のモジュラージャックに挿入された本発明の６極のモジュラープラグの正面断面図（ｂ）と、を示す。
【図５】８極のモジュラージャックの正面図（ａ）と、８極のモジュラージャックに挿入された従来の６極のモジュラープラグの正面断面図（ｂ）と、を示す。
【符号の説明】
【００２７】
１  ６極のモジュラープラグ（モジュラープラグ）
２  筐体
２２  スリット
２３  追加スリット
Ｊ８  ８極のモジュラージャック（第２極数のモジュラージャック）
Ｊ８１  コンタクトピン
【図１】
2009117295.tif 000003
【図２】
2009117295.tif 000004
【図３】
2009117295.tif 000005
【図４】
2009117295.tif 000006
【図５】
2009117295.tif 000007